(57)【要約】【課題】視聴者が放送プログラム中のコマーシャル時に他チャンネルを見ることを防止し、コマーシャルの視聴率を向上させ、スポンサーの放送プログラムへの投資効率を向上させること。【解決手段】デジタル放送において、コマーシャルプログラム放送時に、コマーシャルプログラムに、受信時には実質上再生できないように加工されたサービス番組プログラムをデータ多重して放送する。受信装置では、コマーシャル放送を出力しながら、そのコマーシャルプログラムに多重化されたサービス番組プログラムを蓄積し、放送プログラムの終了時に、蓄積したサービス番組プログラムを再生する。サービス番組プログラムは次回放送プログラムの内容の一部である。【選択図】　図２
2004015625.tif 000002
【特許請求の範囲】
【請求項１】
データ多重放送が可能なデジタル放送での放送プログラムの提供方法であって、
第１の放送プログラム、または、第２の放送プログラムの放送時間に、第３の放送プログラムをデータ多重放送で放送し、
第２の放送プログラムを視聴しなかった場合、第３の放送プログラムの視聴が制限されるようにする
ことを特徴とする放送プログラムの提供方法。
【請求項２】
請求項１に記載の放送プログラムの提供方法において、
上記第２の放送プログラムが、上記第１の放送プログラムの前後、または、間に挿入されるコマーシャルプログラムである
ことを特徴とする放送プログラムの提供方法。
【請求項３】
請求項１に記載の放送プログラムの提供方法において、
上記第３の放送プログラムが、上記第１の放送プログラムに関係する内容を少なくとも含む放送プログラムである
ことを特徴とする放送プログラムの提供方法。
【請求項４】
請求項３に記載の放送プログラムの提供方法において、
上記第３の放送プログラムが、上記第１の放送プログラムの、次回放送内容の一部を少なくとも含む放送プログラムである
ことを特徴とする放送プログラムの提供方法。
【請求項５】
請求項４に記載の放送プログラムの提供方法において、
上記第１の放送プログラムが、上記第１の放送プログラムの次回放送分の一部を少なくとも含み、
上記第３の放送プログラムが、上記第１の放送プログラムの次回放送分のまた別の一部を少なくとも含む放送プログラムである
ことを特徴とする放送プログラムの提供方法。
【請求項６】
請求項３に記載の放送プログラムの提供方法において、
上記第３の放送プログラムの実質上最初に、上記第１の放送プログラムの場面に実質上連続した内容を含んでいる
ことを特徴とする放送プログラムの提供方法。
【請求項７】
請求項１に記載の放送プログラムの提供方法において、
上記第１の放送プログラム、上記第２の放送プログラムおよび上記第３の放送プログラムのうちの少なくとも１つの放送とともに、
上記第３の放送プログラムの視聴を開始するタイミングを定めるタイミング情報をデータ多重放送により放送する
ことを特徴とする放送プログラムの提供方法。
【請求項８】
請求項７に記載の放送プログラムの提供方法において、
上記タイミング情報が、上記第１の放送プログラム、または、上記第２の放送プログラムの放送時間内で、上記第１の放送プログラム、または、上記第２の放送プログラムに代わって、上記第３の放送プログラムが視聴されるように設定されたタイミング情報であることを特徴とする放送プログラムの提供方法。
【請求項９】
請求項１に記載の放送プログラムの提供方法において、
上記第３の放送プログラムが、その第３の放送プログラムの放送の受信に並行しては、放送プログラムとして実質上再生できない加工がなされたデータ放送プログラムであり、
少なくとも第２の放送プログラムの放送時間帯に、上記加工された第３の放送プログラムをデータ多重放送で放送する
ことを特徴とする放送プログラムの提供方法。
【請求項１０】
請求項９に記載の放送プログラム提供方法において、
上記第３の放送プログラムが、放送プログラムとして再生する速度に対して低速のデータ伝送速度に加工がなされているデータ放送プログラムである
ことを特徴とする放送プログラムの提供方法。
【請求項１１】
請求項９に記載の放送プログラム提供方法において、
上記第３の放送プログラムを、複数のデータに分割加工して、
異なる複数の時間に放送される上記第２の放送プログラムとともに、上記分割加工された複数のデータを、データ多重放送で放送する
ことを特徴とする放送プログラムの提供方法。
【発明の詳細な説明】
【０００１】
【発明の属する技術分野】
本発明は、例えば、スポンサーの提供する通常のプログラムとコマーシャルプログラムを含む放送プログラムを、データ多重放送が可能なデジタル放送で放送する放送プログラムの提供方法に関し、特に、衛星デジタル放送、地上波デジタル放送等に好適な放送プログラムの提供方法に関する。
【０００２】
【従来の技術】
従来、この種の放送プログラムの提供方法としては、図８に示すものがある（特開２００１−１３６１３５）。この放送プログラムの提供方法おいては、基地局８０１からの地上波デジタル放送、衛星８０２からの衛星デジタル放送によって送られた多くのコマーシャルプログラムを記憶装置に蓄積する。そして、このコマーシャルプログラムの放送時間帯に、視聴者の嗜好や時間、場所８０３、８０４、８０５に応じて取捨選択した内容のコマーシャルプログラムを再生する。つまり、視聴者が自動車に乗って食事に行く場合など、レストランの付近８０３を通る時には食事の関係するコマーシャル（以下、ＣＭと言う。）を流す。そして、ショッピングセンターの付近８０４を通る時には、買い物に関するＣＭ、スポーツジムの付近８０５を通る時にはスポーツ関係のＣＭを流すというように、ＣＭを蓄積し、取捨選択してＣＭの放送時間に割り当てて視聴者に提供して、利便性を向上させている。
【０００３】
一方、上記放送プログラムの提供方法では、放送プログラムのスポンサーに保証した頻度でスポンサーのコマーシャルプログラムを再生するため、スポンサーのＣＭを流した経過を保持し、上記視聴者の嗜好や場所に関わらず、一定の頻度でＣＭを提供するようにしている。
【０００４】
この放送プログラムの提供方法では、視聴者にカスタマイズされたコマーシャルプログラムを提供すると同時に、コマーシャルプログラムの提供を視聴者一人一人のレベルでスポンサーに保証することを可能としている。
【０００５】
【発明が解決しようとする課題】
しかしながら、上記従来の放送プログラムの提供方法では、コマーシャルプログラムの放送時間に、利用者が異なるチャンネルのより好ましい番組を探して、一時的に異なるチャンネルを視聴した場合、スポンサーの期待した頻度よりもはるかに低い頻度でしか、視聴者にコマーシャルプログラムを視聴させることができないという欠点があった。
【０００６】
そこで、本発明の課題は、視聴者のコマーシャルプログラムの視聴機会を増加させて、スポンサーの放送プログラムへの投資効率を向上させることのできる放送プログラムの提供方法を提供することである。
【０００７】
【課題を解決するための手段】
上記課題を解決するため、本発明の放送プログラムの提供方法は、
データ多重放送が可能なデジタル放送での放送プログラムの提供方法であって、
第１の放送プログラム、または、第２の放送プログラムの放送時間に、第３の放送プログラムをデータ多重放送で放送し、
第２の放送プログラムを視聴しなかった場合、第３の放送プログラムの視聴が制限されるようにする
ことを特徴としている。
【０００８】
上記構成によれば、第２の放送プログラムを視聴しなかった場合、第３の放送プログラムの視聴が制限される。したがって、視聴者は、第３の放送プログラムの視聴を望む場合、必然的に、第２の放送プログラムを視聴することになる。したがって、放送プログラムの提供者やスポンサーにとっては、第２の放送プログラムの放送中にチャンネルを変えないで、第２の放送プログラムを視聴するように誘引することができることになり、視聴させたい第２の放送プログラムの視聴を間接的かつ自然に勧めることができる。
【０００９】
ここで、例えば、第１の放送プログラムは、視聴者が一般的に目的とする映画、ドラマ、アニメ、ドキュメンタリー、スポーツ中継等の番組プログラムであり、第２の放送プログラムは、視聴者が一般的に目的としないコマーシャルログラムあり、第３の放送プログラムは、視聴者に対して利益が大きい視聴者へのサービス番組プログラムである。
【００１０】
１実施の形態では、上記第２の放送プログラムが、上記第１の放送プログラムの前後、または、間に挿入されるコマーシャルプログラムである。
【００１１】
上記実施の形態によれば、コマーシャル番組放送中に、チャンネルを変えてコマーシャルプログラムを視聴しないと、視聴者に利益の大きいサービス番組プログラムの視聴が制限される。そのため、コマーシャルプログラムの放送の間でもチャンネルを変えない動機が視聴者に発生し、コマーシャルプログラムの視聴機会が増加する。コマーシャルプログラムの視聴機会が増加することによって、スポンサーの放送プログラムへの投資効率が向上する。
【００１２】
１実施の形態では、上記第３の放送プログラムが、上記第１の放送プログラムに関係する内容を少なくとも含む放送プログラムである。
【００１３】
コマーシャルプログラムの放送時間中でもチャンネルを変えない動機を視聴者に発生させるには、第３の放送プログラムが、多くの視聴者を誘引する内容である必要がある。この実施の形態では、第１の放送プログラムに本来興味を持って視聴している視聴者に対して、第１の放送プログラムに関係する内容を第３の放送プログラムとして提供するので、より多くの視聴者を誘引する効果を有する。
【００１４】
１実施の形態では、上記第３の放送プログラムが、上記第１の放送プログラムの、次回放送内容の一部を少なくとも含む放送プログラムである。
【００１５】
上記実施の形態によれば、第３の放送プログラムが第１の放送プログラムの次回放送内容の一部、つまり、次回予告編であるから、視聴者を第２の放送プログラムを視聴するように特に強く誘引することができる。第１の放送プログラムに興味を持って視聴している視聴者にとって、次回予告編は特に興味のある対象であるからである。
【００１６】
１実施の形態では、上記第１の放送プログラムが、上記第１の放送プログラムの次回放送分の一部を少なくとも含み、上記第３の放送プログラムが、上記第１の放送プログラムの次回放送分のまた別の一部を少なくとも含む放送プログラムである。
【００１７】
上記実施の形態によれば、上記第１の放送プログラムでも、上記第１の放送プログラムの次回予告編をおこない、上記第３の放送プログラムでは、次回予告編の延長編として、また別の場面の次回放送内容を含んでいる放送プログラムとすることが可能である。
【００１８】
次回予告編は、視聴者にとって強い誘因効果があるが、視聴を完全に制限すると、かえって視聴者に悪印象を与えてしまう場合がある。上記実施の形態によれば、視聴者に悪印象を与えることなく、より効果的に視聴者を誘引することができる。
【００１９】
１実施の形態では、上記第３の放送プログラムの実質上最初に、上記第１の放送プログラムの場面に実質上連続した内容を含んでいる。
【００２０】
第３の放送プログラムは、第１の放送プログラムと第２の放送プログラムに付随する放送プログラムであり、短時間の放送プログラムとなる場合があり、強い印象を与えない虞がある。
【００２１】
しかし、上記実施の形態によれば、第３の放送プログラムは、第１の放送プログラムの場面に実質上連続した内容となるので、視聴者に第１の放送プログラムから連続したより長い時間の番組である印象を与えることができ、視聴者をより効果的に誘因することができる。
【００２２】
１実施の形態では、上記第１の放送プログラム、上記第２の放送プログラムおよび上記第３の放送プログラムのうちの少なくとも１つの放送とともに、上記第３の放送プログラムの視聴を開始するタイミングを定めるタイミング情報をデータ多重放送により放送する。
【００２３】
上記第３の放送プログラムは、第２の放送プログラムを視聴しないと視聴が制限される放送プログラムで、第２の放送プログラムの視聴を誘引する放送プログラムであるため、途切れなく放送プログラムが送られてくるなかで、第３の放送プログラムを視聴する時間を視聴者等にとって最適に定める必要がある。
【００２４】
上記実施の形態によれば、第３の放送プログラムの視聴を開始するタイミングを定めるタイミング情報を最適に設定することによって、視聴者が迷うことなく第３の放送プログラムを最適なときに視聴でき、視聴者の利便性が向上する。
【００２５】
特に、第３の放送プログラムが次回予告編を含む場合や、第１の放送プログラムの場面に連続した内容の場合には、上記タイミング情報よって、第３の放送プログラムが最適なタイミングで出力されるようにして、全体としてより好ましい放送プログラムとなり、視聴者をより誘因する効果を有する。
【００２６】
１実施の形態では、上記タイミング情報が、上記第１の放送プログラム、または、上記第２の放送プログラムの放送時間内で、上記第１の放送プログラム、または、上記第２の放送プログラムに代わって、上記第３の放送プログラムが視聴されるように設定されたタイミング情報である。
【００２７】
上記実施の形態によれば、視聴者が第２の放送プログラムを視聴して、上記第３の放送プログラムを視聴する場合に、上記第１の放送プログラム、または、上記第２の放送プログラムの放送時間内で第３の放送プログラムが終了するようにタイミング情報が設定される。したがって、上記第３の放送プログラムが次の時間帯の放送番組の視聴を妨害しない。そのため、視聴者や、次の時間帯のスポンサーに悪印象を与えることなく、第２の放送プログラムの視聴機会を増加させことができる。
【００２８】
もし、第３の放送プログラムが、次の放送プログラムの放送時間帯にまでわたって視聴されるようにすると、視聴者が次の時間帯の放送プログラムを視聴できなくなり、かえって視聴者に悪印象を与えてしまい、また、次の時間帯の放送プログラムでコマーシャルを行おうとするスポンサーの投資効率を低下させて、そのスポンサーに悪印象を与えてしまうことになるのである。上記実施の形態によれば、そのようなことがなくなる。
【００２９】
１実施の形態では、上記第３の放送プログラムが、その第３の放送プログラムの放送の受信に並行しては、放送プログラムとして実質上再生できない加工がなされたデータ放送プログラムであり、少なくとも第２の放送プログラムの放送時間帯に、上記加工された第３の放送プログラムをデータ多重放送で放送する。
【００３０】
上記実施の形態によれば、少なくとも第２の放送プログラムの放送時間帯に第３の放送プログラムを多重放送により放送する。そのため、この第２の放送プログラムの放送時間中にチャンネルを変えると、第３の放送プログラムが取得できなくなる。それによって、視聴者の第３の放送プログラムの視聴が簡単に制限される。
【００３１】
また、第３の放送プログラムは、その第３放送プログラムの受信に並行しては、放送プログラムとして実質上再生できない加工がなされたデータ放送プログラムとして放送される。そのため、視聴者は第３の放送プログラムのデータを蓄積した後、再生して視聴する必要がある。したがって、第２の放送プログラムの放送時間中に、視聴者が第２の放送プログラムに代えて第３の放送プログラムを視聴することができない。
【００３２】
一方、第３の放送プログラムを視聴できなかった場合に、かえって視聴者に悪印象を与えてしまう場合がある。特に、第３の放送プログラムを視聴できないことが、放送プログラム提供者によるスクランブル等による妨害の結果と思うことでより悪印象が強まる場合がある。
【００３３】
しかし、上記実施の形態によれば、実際に第２の放送プログラムの時間帯に重なって、第３の放送プログラムが提供されると、第２の放送プログラムの視聴と第３の放送プログラムの視聴との因果関係がはっきりしているため、視聴者が理解しやすく、悪印象を抱きにくい。
【００３４】
１実施の形態では、上記第３の放送プログラムが、放送プログラムとして再生する速度に対して低速のデータ伝送速度に加工がなされているデータ放送プログラムである。
【００３５】
上記実施の形態によれば、第３の放送プログラムは、放送プログラムとして視聴するためには遅すぎるデータ伝送速度に加工されて放送されているデータ放送プログラムである。そのため、視聴者は第３の放送プログラムのデータを蓄積した後、再生して視聴する必要があり、放送の受信に並行しては視聴することができない。あるいはまた、視聴者が第３の放送プログラムを放送の受信に並行して視聴したとしても、間延びしたり、断続的な再生となってしまい、実質上、放送プログラムとして視聴することができない。
【００３６】
また、上記実施の形態によれば、暗号化等をしていなくて単に低速でデータを伝送しているので、第３の放送プログラムの再生において、データの復号化等の機構を特別に用いる必要がなく、低コストな放送プログラムの提供装置および受信装置が可能となる。そのため、放送プログラムの提供装置および受信装置の普及が容易となり、本発明の構成による放送プログラムが視聴される機会が増加し、第２の放送プログラムの視聴機会を増加させる格別の効果を有する。
【００３７】
１実施の形態では、上記第３の放送プログラムを、複数のデータに分割加工して、異なる複数の時間に放送される上記第２の放送プログラムとともに、上記分割加工された複数のデータを、データ多重放送で放送する。
【００３８】
多重放送においては、放送できるデータ量が制限される場合がある。
【００３９】
しかし、上記実施の形態によれば、上記第３の放送プログラムを、複数のデータに分割加工し、この分割加工された複数のデータを、異なる複数の時間に放送される上記第２の放送プログラムとともに、データ多重放送で放送するため、第３の放送プログラムとしてより多量のデータを放送することができる。すなわち、第３の放送プログラムを、視聴者とって魅力のある、より長い時間、あるいは、より高精細な画像、音質の放送プログラムとすることが可能となる。結果として、視聴者が第３の放送プログラムを視聴する動機が増加し、第２の放送プログラムの視聴機会をより増加させることができる。
【００４０】
これは、第３の放送プログラムを、第２の放送プログラムの放送時間にデータ多重させて放送する構成において、第３の放送プログラムの放送時間が制限されてしまう場合に有効である。
【００４１】
また、第３の放送プログラムがデータの転送速度を低下させた加工がなされている場合、時間当たりのデータの転送量が低下するので、上記実施の形態の構成が特に有効である。
【００４２】
また、上記分割加工された複数のデータの断片的な内容の視聴により、第３の放送プログラムの内容を部分的に知り、第３の放送プログラムの全内容を視聴する動機を、視聴者が持つ場合がある。結果として、第２の放送プログラムの視聴機会を増加させる別の効果を有する。
【００４３】
【発明の実施の形態】
以下、本発明を図示の実施の形態により詳細に説明する。
【００４４】
（実施の形態１）
図１は、実施の形態１の放送プログラムの提供方法による放送プログラムの内容の時間的な過程を示す図である。図１において、縦軸１０１は１チャンネル分の時間当たりのデータ量を示し、横軸１０２は時間の経過を示す時間軸である。
【００４５】
図１に示すように、放送プログラム全体１０３は、放送プログラム全体１０４と１０５との間の一つとして、連続した複数の放送プログラム全体１０３、１０４、１０５の中の一つとして時間軸１０２に沿って配置されている。
【００４６】
上記放送プログラム全体１０３は、第１の放送プログラムの一例としての番組プログラム１０６、１０７、１０８と、第２の放送プログラムの一例としてのコマーシャルプログラム１０９、１１０、１１１、１１２と、第３の放送プログラムの一例としてのサービス番組プログラム（データ１１３、１１４）とからなる。
【００４７】
上記第１の放送プログラムである番組プログラム１０６、１０７、１０８は、本編１０６、１０７と次回予告編１０８とから構成されている。また、第２の放送プログラムであるコマーシャルプログラム１０９、１１０、１１１、１１２は、上記番組プログラム１０６、１０７、１０８の前後や間に挿入されている。また、第３の放送プログラムであるサービス番組プログラム（データ１１３、１１４）は、加工されたデータ１１３、１１４として、コマーシャルプログラム１１０、１１１の放送時間にデータ多重されて放送されている。また、上記第３の放送プログラムであるサービス番組プログラム（データ１１３、１１４）の視聴を開始するタイミングを示すタイミング情報１１５は、番組プログラム１０８の放送時間に、その番組プログラム１０８にデータ多重放送されている。
【００４８】
図２は実施の形態１の放送プログラムの提供方法の工程を示す図であり、図１と同じく、縦軸にデータ量、横軸に時間の推移を表して各放送プログラムを示している。なお、図２において、図１の部分と同じ働きをする部分には同じ記号を用いている。
【００４９】
図２において、上記番組プログラム１０６、１０７、１０８は、コマーシャルプログラム１１０、１１１が間に入るように、あらかじめ分割して編集されている。
【００５０】
上記コマーシャルプログラム１１０、１１１は、単一または複数のスポンサーから提供された映像、音声によるプログラム、一般的には複数のプログラムである。このコマーシャルプログラム１１０、１１１は、データ多重放送されるため、データ多重した場合でも、データ全体が放送の帯域幅に収まるように、一般に、時間当たりのデータ量の少ないものを用いる必要がある。このことは、コマーシャルプログラム１１０、１１１を、例えば、静止画を多く含むのもや、動きの少ない動画など、データ圧縮率の大きな画像を用いた映像とすることで実現が可能である。
【００５１】
上記サービス番組プログラム２０１は、番組プログラムの次回予告編１０８に連続した映像と音響から始まる次回予告編のより詳しい解説内容のサービス番組プログラム２０１である。また、タイミング情報１１５は、そのタイミング情報１１５の受信直後、つまり、番組プログラム１０８の受信の終了直後からサービス番組プログラム２０１の視聴を開始させるための情報である。
【００５２】
上記サービス番組プログラム２０１には、その放送の受信に並行しては、放送プログラムとして実質上再生できないようにする加工の一例として、まず、データの伝送速度を低下させる加工２０２がなされて、データ２０３が生成される。この加工２０２がされたデータ２０３は、時間当たりの伝送されるデータ量が減少して、送信に必要な時間が増加している。そのため、このデータ２０３を、その受信と同時に再生すると、間延びしたり、途切れ途切れにしか再生できなくて、実質上放送プログラムとしては視聴できないデータとなる。
【００５３】
ここでのデータの伝送速度とは、実質上の伝送速度であっても、平均的な伝送速度であっても構わない。
【００５４】
更に、上記データ２０３は、分割されて、異なる時間に放送される別々のコマーシャルプログラム１１０、１１１とデータ多重するための加工２０４がなされて、データ１１３、１１４になる。このデータ１１３、１１４は、別々のコマーシャルプログラム１１０、１１１にデータ多重されて放送されるデータである。更にまた、このデータ１１３、１１４は、コマーシャルプログラム１１０、１１１とともに番組プログラム１０６、１０７、１０８の間に、時間的に分割して番組プログラムの前後や間に挿入される加工２０５がなされる。
【００５５】
第３の放送プログラム２０１を、時間的にデータを分割して放送することにより、加工されたデータ１１３、１１４は、受信と同時に再生しても、更に、断片的なものとなり実質上放送プログラムとしては視聴できないデータとなる。
【００５６】
また、この際、受信時にサービス番組プログラム２０１を再生するタイミングを示すタイミング情報１１５を番組プログラム１０８の最後にデータ多重させる加工も行う。
【００５７】
以上の工程のデータの加工２０２、２０４、２０５を行って作成した放送プログラム全体１０３をデータ多重放送により放送する。
【００５８】
図３に本実施の形態１による放送プログラムの提供方法に適した受信装置の一例を示す。
【００５９】
この受信装置は、アンテナ３０１、チューナ３０２、デコーダ３０３、データコントローラ３０４、出力部３０５、記憶部３０６、タイミング制御部３０７、再生部３０８、ディスプレイ装置３０９、スピーカ３１０および再生選択スイッチ３１１によって構成している。
【００６０】
上記アンテナ３０１で受信した信号は、チューナ３０２で目的のチャンネルに選別され、デーコーダ３０３でデジタルデータに復調される。このデジタルデータには、データ多重放送により各種のデータが混在しているので、データコントローラ３０４によりデータの種類によって必要な装置各部にデータが順次転送される。つまり、デジタルデータの内、通常の放送番組、すなわち、図１での番組プログラム１０６、１０７、１０８やコマーシャルプログラム１０９、１１０、１１１、１１２のデータは、データコントローラ３０４により、出力部３０５へ順次伝送される。この出力部３０５は、デジタル画像データや、デジタル音声データの復号を行う装置であり、入力されたデータを順次復号して、ディスプレイ装置３０９やスピーカ３１０より画像や音声を出力する。
【００６１】
一方、上記デジタルデータの内に、データ多重されたサービス番組プログラムのデータ１１３、１１４がある場合には、データコントローラー３０４は、このデータ１１３、１１４を記憶部３０６に伝送し、記憶部３０６がサービス番組プログラムのデータ１１３、１１４を順次蓄積する。
【００６２】
また、上記デジタルデータの内に、タイミング情報１１５がある場合には、データコントローラー３０４は、タイミング情報１１５のデータを、タイミング制御部３０７に伝送する。そして、このタイミング制御部３０７は、タイミング情報１１５を読み取って、指示されたタイミングに合わせて再生部３０８に記憶部３０６のデータの再生の開始を通知する。
【００６３】
上記再生部３０８は、タイミング制御部３０７からの再生の開始の通知を受けると、サービス番組プログラムのデータ１１３、１１４を再生して、出力部３０５に送る。この出力部３０５はデータコントローラ３０４より送られてくるデータより、再生部３０８から送られてくるデータを優先させて、ディスプレイ装置３０９とスピーカ３１０から出力するよう構成している。
【００６４】
以上の構成により、視聴者は、タイミング情報１１５で設定されたタイミングに合わせてサービス番組プログラム２０１（データ１１３、１１４）を視聴することができる。
【００６５】
図４に図１の放送プログラムを、図３の受信装置によって、視聴者が視聴した場合の、プログラムの内容の時間的な過程を示す。
【００６６】
縦軸４０１には視聴者の視聴する内容を示し、横軸１０２に時間の経過を示している。
【００６７】
上記受信装置は、図１の放送プログラム全体１０３の放送を受信した場合、番組プログラム１０６、１０７、１０８とコマーシャルプログラム１０９、１１０、１１１を継続してディスプレイ装置３０９とスピーカ３１０に出力しながら、コマーシャルプログラム１１０、１１１を出力する間に、サービス番組プログラムのデータ１１３、１１４を記憶部３０６に蓄積する。そして、番組プログラム１０８の最後に、データ多重されたタイミング情報１１５により、番組プログラム１０８に連続して、再生部３０８が、記憶部３０６に蓄積されたデータを読み出して、サービス番組プログラム２０１に再生して、出力部３０５に転送する。出力部３０５は、コマーシャルプログラム１１２に代わってサービス番組プログラム２０１をディスプレイ装置３０９とスピーカ３１０に出力する。このようにして、番組プログラム本編１０６、１０７の次回予告編１０８の最後に連続して、サービス番組プログラム２０１が視聴されるようになるのである。
【００６８】
上記サービス番組プログラム２０１は、次回予告編１０８の最後の場面の画面、音響に連続した場面より始まる内容として構成された追加の予告編であり、タイミング情報１１５により、次回予告編１０８に時間的に連続して視聴されるため、視聴者には、連続した長い時間の次回予告編として、より魅力のある番組として認識される。
【００６９】
一方、視聴者が、コマーシャルプログラム１１０、１１１の放送時間中にチャンネルを変えていた場合は、サービス番組プログラム２０１のデータ１１３、１１４は記憶部３０６に蓄積されない。そのため、タイミング情報１１５を受けても、再生部３０８は記憶部３０６から上記サービス番組プログラム２０１のデータ１１３、１１４を読み出すことができなくて、サービス番組プログラム２０１を再生することができず、出力部３０５は、データコントローラ３０４から送られてくるコマーシャルプログラム１１２を出力する。
【００７０】
また、視聴者が、コマーシャルプログラム１１０、１１１の放送時間のうちの一部の時間だけチャンネルを変えていた場合は、サービス番組プログラム２０１のデータ１１３、１１４の一部が記憶部３０６に蓄積される。この受信装置は、記憶部３０６にデータ１１３、１１４の全てが蓄積されていなくてそのデータ１１３、１１４の一部のみが蓄積されている場合には、上記データ１１３、１１４の一部は再生部３０８から出力されなくて、出力部３０５は、データコントローラ３０４から送られてくるコマーシャルプログラム１１２を出力するように構成している。もっとも、上記データ１１３、１１４の全てではなくて一部が記憶部３０６に蓄積されている場合でも、その一部のデータが部分的にでも視聴できるデータである場合には、再生部３０８が記憶部３０６からそのデータを読み出して、サービス番組プログラム２０１の一部を再生して、出力部３０５に転送し、出力部３０５は、サービス番組プログラム２０１の一部を出力するように構成してもよい。この場合、残った時間は、データコントローラ３０４から送られてくるコマーシャルプログラム１１２を出力するよう構成すればよい。
【００７１】
この実施の形態１では、タイミング制御部３０７からの信号により、記憶部３０６のデータを再生部３０８が再生するように構成したが、再生選択スイッチ３１１により視聴者が再生を指示するようにすることも可能である。しかし、タイミング情報１１５により自動的に再生した方が上記のようにより視聴者にとって、より魅力のある番組として認識される。
【００７２】
この実施の形態１では、サービス番組プログラム２０１は、そのデータ１１３、１１４の送信速度が低速に加工され、かつ、時間的に分割加工されて放送されている。これらの加工がされていても、記憶部３０６に蓄積されたサービス番組プログラム２０１のデータ１１３、１１４は、必要な速度で読み出されて、再生部３０８に伝送されることによって再生が可能であり、データの復号機構等を特別に必要とせず、簡易な構成の再生部３０８が可能となる。また、複数のコマーシャルプログラム１０９、１１０、１１１、１１２に分割することで、より多くのデータの伝送ができ、サービス番組プログラム２０１として、より長い、あるいは、より高精細な番組プログラムの提供が可能になる。
【００７３】
一方、上記実施の形態１の構成では、記憶部３０６に蓄積されたデータ１１３、１１４は、いつでも再生できる状態にあるので、視聴者は途中でデータを再生して視聴することも可能である。しかし、受信と同時に再生したのではデータが間延びしたり、途切れ途切れになったり、途中までであったりして実質上視聴できない。しかし、この部分的な視聴が異なる番組放送の存在を、あるいは、部分的な内容を視聴者に通知することになり、視聴者に番組プログラム１０６、１０７、１０８に連続してサービス番組プログラム２０１を視聴したい欲求を喚起する別の効果を有する。
【００７４】
（実施の形態２）
図５（ａ）に本発明の実施の形態２による放送プログラム提供方法による放送プログラムの時間的なプログラム内容の変化の過程を示し、図５（ｂ）に上記実施の形態２の視聴者の見る時間的なプログラムの内容変化の過程を示す。
【００７５】
図５（ａ）では、縦軸１０１に１チャンネル分の時間当たりのデータ量を示し、図５（ｂ）では、縦軸４０１には視聴者の視聴する内容を示し、図５（ａ）、（ｂ）共に、横軸１０２に時間の経過を示している。
【００７６】
図５（ａ）では、第１の放送プログラムである番組プログラムは、本編５０１、５０２、５０３として示されている。また、第２の放送プログラムであるコマーシャルプログラム５０４、５０５、５０６、５０７は、上記番組プログラム５０１，５０２，５０３の前後や間に挿入されている。また、第３の放送プログラムであるサービス番組プログラムは、加工されたデータ５０８、５０９としてコマーシャルプログラム５０４、５０５の放送時にデータ多重されている。また、第３の放送プログラムは、図５（ｂ）に示すように、番組プログラム５０２の直後に視聴される第１のサービス番組プログラム５１２とコマーシャルプログラム５０７の直後に視聴される第２のサービス番組プログラム５１３との２個所で視聴されるように、タイミング情報５１０、５１１がプログラム５０２、５０７の放送時にデータ多重されて放送されている。上記サービス番組プログラム５１２、５１３の各データは、図２の伝送速度を遅くする加工２０２をすることで、それぞれデータ５０８、５０９として、コマーシャルプログラム５０４、５０５にそれぞれデータ多重して放送するように構成している。
【００７７】
図５（ｂ）に示すように、第３の放送プログラムは、サービス番組プログラム５１２と５１３のように、複数の個所で視聴されるように設定している。このとき、番組の途中で放送される第１のサービスプログラム５１２は、たとえば、番組プログラムのハイライトシーンを別の角度から撮影した映像や、番組プログラムの作成中のハプニング場面、いわゆるＮＧ場面や、番組プログラムの撮影風景、番組からのプレゼント等が効果的である。
【００７８】
また、番組の最後に放送される第２のサービス番組プログラム５１３は、次回予告編が効果的である。
【００７９】
第１のサービス番組プログラム５１２のデータ５０８は、データ伝送速度が遅く加工されているので、コマーシャルプログラム５０６の一部に代わって視聴される。また、第１のサービス番組プログラム５１２の時間が短いので、途中からコマーシャルプログラム５０６の一部５１６が視聴される。図５（ｂ）は、この様子を示している。
【００８０】
また、第２のサービスプログラム５１３は、第１の放送プログラム５０１、５０２、５０３と第２の放送プログラム５０４、５０５、５０６、５０７との放送時間外、つまり、次の番組プログラム１０５の放送時間に視聴されるように、タイミング情報５１１が設定されている。
【００８１】
図１乃至４に示す実施の形態１の放送プログラムの提供方法では、最後のコマーシャルプログラム１１２がサービス番組プログラム２０１のために視聴者に視聴されない場合がある。しかし、図５の実施の形態２の放送番組の提供方法では、放送プログラム全体１０３の時間外でサービス番組プログラム５１３再生されるので、スポンサーは実質上、放送プログラム全体１０３より長い時間、視聴者にプログラムを提供する時間を手に入れることができる。
【００８２】
しかし、一方、図５の実施の形態２の放送プログラムの提供方法では、第２のサービス番組プログラム５１３が次の放送プログラム１０５に重なってしまい、視聴者が次の放送プログラム１０５を視聴することを阻害してしまい、視聴者にかえって悪印象を与えてしまう場合もある。あるいは、放送プログラム１０５を提供するスポンサーの放送プログラムに対する投資効率を阻害することにもなるため、放送プログラム１０５を提供するスポンサーにも悪印象を与えてしまう場合がある。そのため、実施の形態１の図４に示すように、第３の放送プログラム２０１は、第１の放送プログラム１０６、１０７、１０８および第２の放送プログラム１０９、１１０、１１１、１１２の放送時間１０３内に視聴されるように、タイミング情報１１５が設定されるのがより望ましい。
【００８３】
もっとも、再生で視聴されない可能性が高まる、番組終了後の一定の時間帯、すなわち、サービス番組プログラム５１３が再生される時間をあらかじめ確保し、番組プログラムを持たない、コマーシャル放送のみの放送プログラムとすることで上記の課題を回避することも可能である。
【００８４】
また、図５に示す実施の形態２の放送プログラムの提供方法では、次回予告編をサービス番組プログラム５１２、５１３のみで放送するように構成しているが、次回予告編がまったく見られなかった場合、視聴者にかえって悪印象を与える場合もある。そのため、図１乃至４の放送プログラムの提供方法ように次回予告編は第１の放送プログラム１０６、１０７、１０８中にも行い、第３の放送プログラム２０１では、次回放送内容の更に別の一部を含む構成とした方がより好ましい。
【００８５】
上記実施の形態１および２では、サービス番組プログラム２０１、５１２、５１３は、データの送信速度が低速になるように加工されたり、時間的に分割加工されて放送されることで、放送時に視聴者が実質上視聴できないようにしているが、前述のように部分的には視聴が不可能ではない。
【００８６】
そこで、サービス番組プログラムを途中で全く視聴させたくない場合は、データを暗号化し、データの最後に暗号を復号する鍵となるデータを伝送することが可能である。この場合、再生装置には、データの復号を行う機構が必要となる。
【００８７】
あるいはまた、暗号化のかわりに、データを一定の決まりで時間的に入れ替える加工を行うことでも、実質上視聴はできなくなる。この場合は、再生装置のデータの復号はより簡易なもので構成することができる。たとえば、データを逆順にならべて送信することにより実現でき、デジタル的にはその他、さまざまな方法が可能である。
【００８８】
また、上記実施の形態１および２では、コマーシャルプログラム１１０、１１１、５０４、５０５中にのみサービス番組プログラム２０１、５１２、５１３の加工されたデータ１１３、１１４、５０８、５０９をデータ多重して放送する構成の例を示したが、番組プログラム中にもその一部を多重させ、サービス番組プログラムのデータ量を増してサービス番組プログラム内容を充実させるように構成することもできる。その場合、番組の多重されている部分を視聴していればその部分のサービス番組プログラムはコマーシャルプログラムの視聴に関わらずデータを得ることができる。この場合、その部分のデータの暗号化などを特に行わずコマーシャルプログラムの視聴に関わらず視聴者が視聴することができるように構成することも可能である。あるいは、上記のように暗号化されていたり、データの順序を入れ替えるような処理をして、コマーシャルプログラムを視聴していなければ視聴できないように構成することも可能である。
【００８９】
しかし、視聴者は、サービス番組プログラムを視聴できない場合、かえって悪印象を持つ場合があるため、コマーシャルプログラムにのみサービス番組プログラムのデータを多重させて、サービス番組プログラムとコマーシャルプログラムが一体であることを理解しやすくした方が、視聴者の理解が得られやすく好ましい。
【００９０】
図６に、放送プログラムを視聴する画面構成の例を示す。図３に示す実施の形態１では、出力部３０５は、再生部３０８から送られてくるデータを、データコントローラ３０４から送られてくるデータよりも優先させて、ディスプレイ装置３０９とスピーカ３１０から出力するよう構成したが、図６の例では、ディスプレイ装置３０９の画面全面６０１を分割し、コマーシャルプログラムとサービス番組プログラムとのうちの一方を画面全面６０１に表示し、他方を画面の一部６０２に表示するように構成している。
【００９１】
あるいは、図７に示すように、画面全面６０１内に小さな画面７０１、７０２を形成し、この小さな画面７０１、７０２に、コマーシャルプログラムとサービス番組プログラムととを夫々表示するようにしてもよい。
【００９２】
このような画面構成は、視聴者が、再生選択スイッチと同様にスイッチで指定して選択するように構成することが可能である。あるいは、タイミング情報と同様に放送プログラムから画面構成を通知して、自動的に画面構成が切り替わるように構成することも可能である。
【００９３】
上記の画面構成にすると、図１の場合のコマーシャルプログラム１１２が視聴者に視聴される頻度を向上させることができる。
【００９４】
また、元々、画面の一部にサービス番組プログラムを表示するように構成することで、サービス番組プログラムのデータ量を小さくすることができ、データ多重放送でのコマーシャルプログラムのデータ量を大きく低減させる必要がなくなる効果を有する。
【００９５】
あるいはまた、サービス番組プログラムの映像自身を元々、図６、図７のように、コマーシャルプログラムとサービス番組プログラムを配置した構成とし、コマーシャル映像を見せながら、サービス番組プログラムを視聴者に提供することも可能である。
【００９６】
本実施の形態１および２では、タイミング情報に関しては、タイミング情報１１５、５１０、５１１の受信直後よりサービス番組プログラム２０１、５１２、５１３の再生を開始する構成としたが、タイミング情報の受信から、一定時間、あるいは、一定のデータ量を受けた後から再生するように構成することも可能である。特に、サービス番組プログラムのデータが暗号化されている場合などでは、暗号化されたデータを復号するための一定の時間を確保するため、一定時間後に再生を開始する構成とするのが好ましい。
【００９７】
上記説明では、サービス番組プログラムの例をいくつか示したが、他にも、過去の名場面集や、あらすじ、出演俳優、声優の紹介、テーマソングあるいはその演奏者の紹介、番組出演者、映像キャラクタによるオリジナル番組、番組のなぞ解き等が可能である。
【００９８】
また、上記実施の形態１および２の放送プログラムの提供方法では、番組プログラムおよびコマーシャルプログラムからなる放送プログラムに、サービス番組プログラムを付加しているが、コマーシャルプログラムのみからなる放送プログラムでも本発明の放送プログラムの提供方法は適用可能である。コマーシャルプログラム中にチャンネルを変えなければ、コマーシャルの後で、サービス番組プログラムを視聴することができるように構成することが可能であり、コマーシャルの視聴率を向上させることが可能となる。
【００９９】
しかし、上記実施の形態１および２のように番組プログラムを含む放送プログラムで構成した方が、視聴者が第１の放送プログラムである番組プログラムという興味対象を共有しているので、それに関する内容のサービス番組プログラムを用いることでより効果的に視聴者を誘引して第２の放送プログラムの視聴機会を増加させ、放送プログラムへの投資効果を向上させることができる。
【０１００】
【発明の効果】
以上より明らかなように、本発明の放送プログラムの提供方法によれば、コマーシャルプログラムの放送時間中に、視聴者が異なるチャンネルを視聴することを防止して、コマーシャルプログラムの視聴機会を増加させて、スポンサーの放送プログラムへの投資効果を向上させることができる。
【図面の簡単な説明】
【図１】本発明の実施の形態１による放送プログラムの提供方法による放送プログラムの内容の時間的な過程を説明するための図である。
【図２】上記実施の形態１の放送プログラムの提供方法の工程を説明するための図である。
【図３】上記実施の形態１の放送プログラムの提供方法に用いる受信装置の例を説明する図である。
【図４】上記受信装置によって、視聴者が放送プログラムを視聴した場合の放送プログラムの内容の時間的な過程を説明する図である。
【図５】図５（ａ）は本発明の実施の形態２による放送プログラム提供方法による放送プログラムの時間的なプログラム内容の変化の過程を説明する図であり、図５（ｂ）は上記実施の形態２において視聴者の見る時間的なプログラムの内容変化の過程を説明する図である。
【図６】本発明による放送プログラムを視聴する画面構成の一例を説明するための図である。
【図７】本発明による放送プログラムを視聴する画面構成の他の例を説明するための図である。
【図８】従来の放送プログラムの提供方法を説明する図である。
【符号の説明】
１０３、１０４、１０５　　放送プログラム全体
１０６、１０７、１０８、５０１、５０２、５０３　　第１の放送プログラム
１０９、１１０、１１１、１１２、５０４、５０５、５０６、５０７　　第２の放送プログラム
１１３、１１４、５０８、５０９　　第３の放送プログラム
１１５、５１０、５１１　　タイミング情報
２０２　　サービス番組プログラムを低速のデータ伝送速度のデータに加工する工程
２０４　　サービス番組プログラムを複数のデータに分割して複数のコマーシャルプログラムにデータ多重する工程
２０５　　データを多重放送で放送する工程
３０４　　データコントローラ
３０５　　出力部
３０６　　記憶部
３０７　　タイミング制御部
３０８　　再生部
３０９　　ディスプレイ装置
３１０　　スピーカ装置
６０１　　ディスプレイ装置の画面全体
６０２、７０１、７０２　　ディスプレイ装置の画面の一部
【図１】
2004015625.tif 000003
【図２】
2004015625.tif 000004
【図３】
2004015625.tif 000005
【図４】
2004015625.tif 000006
【図５】
2004015625.tif 000007
【図６】
2004015625.tif 000008
【図７】
2004015625.tif 000009
【図８】
2004015625.tif 000010